(57)【特許請求の範囲】
【請求項１】
窓開口部の窓枠の一部を構成する下窓枠の屋外側に下方に垂下する前垂部が形成され、該前垂部に下枠が取付けられる窓枠構造に於いて、前記前垂部の上端に上溝を形成する上鉤部が設けられ、前記下枠が前記上溝に嵌合する基端部と該基端部の下端に連続するエプロン部と、該エプロン部の下面且つ前記基端部よりも先端側から延出し、外面に嵌合部と該嵌合部に臨接するストッパ部とが形成された筋交部と、前記エプロン部の裏面基端に突設されたリブ部とを有し、前記筋交部は前記基端部の先端部を中心とした円筒面又は近似円筒面であり、先端が前記リブ部よりも下方に位置すると共に、前記前垂部に対して前記リブ部と均等に当接することを特徴とする窓枠構造。
【請求項２】
前記基端部の先端部は段付形状であり、該先端部が前記上溝に嵌合した状態で、前記上鉤部の前面と基端部の前面とが面一又は略面一となる請求項１の窓枠構造。
【請求項３】
前記前垂部は下端に下鉤部が形成され、該下鉤部は前記嵌合部に嵌合する請求項１の窓枠構造。
【請求項４】
前記下枠は、固定具により前記基端部を前記前垂部に固着することで取付けられる請求項１の窓枠構造。
【発明の詳細な説明】
【０００１】
【発明の属する技術分野】
本発明は、窓枠構造、特に後付けされる下枠の窓枠構造に関するものである。
【０００２】
【従来の技術】
図５は住宅の窓、特に雨戸用シャッタが設けられている窓の構造を示している。
【０００３】
図中、１は建屋の躯体壁、２は外装材を示している。
【０００４】
前記躯体壁１に設けられた窓開口部３の周縁の屋内側に内窓枠４、屋外側に外窓枠５が設けられ、該外窓枠５の屋外側に更に外枠６が後付けられる。
【０００５】
前記外窓枠５は引抜き材或は押出し材のアルミニウム製のサッシによって構成される。又、該外窓枠５は一対の横窓枠（図示せず）、上窓枠７、下窓枠８によって構成されている。
【０００６】
前記上窓枠７にはガラス障子用上レール９，１０及び網戸用上レール１１が形成され、前記下窓枠８は屋外側に向かって低くなる様な階段形状となっており、前記ガラス障子用上レール９，１０及び前記網戸用上レール１１にそれぞれ対向するガラス障子用下レール１２，１３、網戸用下レール１４が形成されている。
【０００７】
前記窓開口部３の上方屋外側にシャッタボックス１５が前記外装材２を介して前記躯体壁１に取付けられている。
【０００８】
該シャッタボックス１５内部にはシャッタカーテンの巻取シャフト（図示せず）、シャッタカーテンを巻取り、繰出す為前記巻取シャフトを回転するモータ等から成る開閉機（図示せず）が収納されている。又、前記シャッタボックス１５の下面、前記外装材２の近傍にシャッタカーテン出入口１６が設けられている。
【０００９】
前記外枠６は前記窓横枠（図示せず）に設けられた一対の横枠１７、前記下窓枠８に設けられた下枠１８から構成され、前記横枠１７は前記シャッタカーテン出入口１６より垂下したシャッタカーテン１９をガイドするガイド溝２１を有し、該ガイド溝２１の上端は前記シャッタカーテン出入口１６に連続している。
【００１０】
前記下枠１８及び該下枠１８の取付け構造について図６を参照して説明する。
【００１１】
前記下窓枠８の屋外側端縁には下方に向かって垂下するクランク状の前垂部２３が形成され、該前垂部２３の上端には下方に開口する溝２６が成形され、前記前垂部２３の下端部は螺子２４により前記躯体壁１に固定されている。前記外装材２の上端部と前記前垂部２３間に形成される間隙はシール材２５により充填される。
【００１２】
前記下枠１８は上方に折上げられた基端部１８ａと下り傾斜を有するエプロン部１８ｂと該エプロン部１８ｂの下面から水平方向に延出する筋交部１８ｃと、下方に折下げられた先端部１８ｄから成る。
【００１３】
前記下枠１８の取付けは、前記基端部１８ａが前記溝２６に挿入し、前記筋交部１８ｃの先端を前記前垂部２３に当接させた状態で、前記基端部１８ａをタッピング螺子２７により前記前垂部２３に固定している。
【００１４】
尚、図中２９は前記シャッタカーテン１９の下端に設けられた幅木であり、３０，３１はガラス障子、３２は網戸である。
【００１５】
【発明が解決しようとする課題】
上記した従来の窓枠構造では、下枠１８をタッピング螺子２７で取付けている。この為、施工性があまりよくなく、又、溝２６が戸外に露出するので、ゴミが溜る等して外観を損い、ゴミが溜った場合は、掃除がし難い等の虞れがあった。
【００１６】
本発明は斯かる実情に鑑み、施工性、美観により優れた窓枠構造を提供するものである。
【００１７】
【課題を解決するための手段】
本発明は、窓開口部の窓枠の一部を構成する下窓枠の屋外側に下方に垂下する前垂部が形成され、該前垂部に下枠が取付けられる窓枠構造に於いて、前記前垂部の上端に上溝を形成する上鉤部が設けられ、前記下枠が前記上溝に嵌合する基端部と該基端部に連続するエプロン部と、該エプロン部の下面から延出する筋交部とを有し、該筋交部の外面に嵌合部が形成された窓枠構造に係り、又前記基端部の先端部は段付形状であり、該先端部が前記上溝に嵌合した状態で、前記上鉤部の前面と基端部の前面とが面一又は略面一となる窓枠構造に係り、更に又前記前垂部は下端に下鉤部が形成され、該下鉤部は前記嵌合部に嵌合する窓枠構造に係るものである。
【００１８】
【発明の実施の形態】
以下、図面を参照しつつ本発明の実施の形態を説明する。
【００１９】
尚、図１、図２中、図５、図６中で示したものと同等のものには同符号を付してある。
【００２０】
又、図１、図２中に示される躯体壁１、外装材２、窓開口部３、該窓開口部３に設けられる上窓枠７、下窓枠８、該上窓枠７、下窓枠８間に取付けられるガラス障子３０，３１、網戸３２等については上記した従来のものと同様であるので、説明を省略する。
【００２１】
以下、下窓枠８、該下窓枠８に取付けられる下枠３４について説明する。
【００２２】
下窓枠８の屋外側の縁部には下方に垂下する前垂部２３が形成される。該前垂部２３は前記下枠３４が取付けられる垂直面２３ａを有し、該垂直面２３ａの上端部には上溝を形成する上鉤部３５が設けられ、下端部には前記上溝に対向する下溝を形成する下鉤部３６が設けられている。
【００２３】
前記垂直面２３ａに直角な下面部２３ｂを介して前記垂直面２３ａに平行なフランジ部２３ｃが形成されており、該フランジ部２３ｃが固定具である螺子３７により前記躯体壁１に固定される。
【００２４】
前記下枠３４は前記上溝に嵌合可能な基端部３４ａ、該基端部３４ａに連続し下り傾斜を持ったエプロン部３４ｂ、該エプロン部３４ｂの先端から下方に垂下する先端部３４ｄ、更に前記エプロン部３４ｂの下面から延出する筋交部３４ｃ、該前記エプロン部３４ｂの裏面基端から突設されたリブ部３４ｆから形成される。
【００２５】
前記基端部３４ａの先端部は段付形状となっており、該基端部３４ａの先端が前記上溝に嵌合した状態では、前記基端部３４ａの前面と前記上鉤部３５の前面とが面一又は略面一となる様になっている。前記筋交部３４ｃは前記基端部３４ａの先端部を中心とした円筒面又は近似円筒面となっており、外面には前記下鉤部３６が嵌合する嵌合部である溝３４ｅ、該溝３４ｅに臨接するストッパ部３４ｇが形成され、先端は鏃状となっている。又、前記基端部３４ａの垂直面２３ａへの当接面、リブ部３４ｆ、筋交部３４ｃの先端は同一平面内にある様に成形されている。尚、これらの内の少なくとも２つが同一平面内にある様に成形されていてもよい。
【００２６】
前記下枠３４の下窓枠８への取付けについて、図３（Ａ）、図３（Ｂ）、図３（Ｃ）を参照して説明する。
【００２７】
前記基端部３４ａの先端を前記上鉤部３５が形成する上溝に嵌合させ、該上溝を中心に前記下枠３４を回転（図３では反時計方向に回転）し、前記筋交部３４ｃの先端を前記下鉤部３６に当接させ、更に回転する。前記筋交部３４ｃが弾性変形して撓み前記溝３４ｅに前記下鉤部３６が嵌合し、前記基端部３４ａ、筋交部３４ｃ、リブ部３４ｆは前記垂直面２３ａに均等に当接する。前記基端部３４ａの先端が前記上鉤部３５の上溝に嵌合し、前記溝３４ｅに下鉤部３６が嵌合することで、前記下枠３４が前記下窓枠８に取付けられる。尚、前記ストッパ部３４ｇは前記下鉤部３６が前記溝３４ｅに嵌合する場合のストッパ（回転止め等）として機能する。
【００２８】
即ち、前記下枠３４は固定具を用いることなく、前記下窓枠８に取付けることができ、施工性がよい。又、前記基端部３４ａの前面と前記上鉤部３５の前面とは面一又は略面一であるので外観がよく、又ゴミ、埃等が溜ることを防止できる。
【００２９】
図４は本発明に係る下枠３４を図５で示した従来の下窓枠８に実施したものである。
【００３０】
前記基端部３４ａの先端部を前記溝２６に嵌合させ、固定具であるタッピング螺子２７により前垂部２３に固着固定する。前記基端部３４ａ、筋交部３４ｃ、リブ部３４ｆが前記前垂部２３に均等に当接し、取付け状態は安定している。この場合も、前記基端部３４ａ前面と溝２６を形成する鉤部の前面とは面一又は略面一となっており、外観がよく、又ゴミ、埃等が溜ることを防止できる。
【００３１】
従って、従来の下窓枠８にも取付けられるので、下枠３４の共用化が図れ、部品コストの低減、部品管理の容易化が図れる。
【００３２】
尚、嵌合部は、上記実施の形態では溝としたが、例えば、単に筋交部３４ｃが弾性変形してその反発力や摩擦力にて保持固定できるもの等、嵌合保持できるものであれば任意な構造でよい。
【００３３】
又、固定具は、上記実施の形態では、螺子３７やタッピング螺子２７としたが、例えば、釘やステープル、リベット等でもよく、任意である。
【００３４】
【発明の効果】
以上述べた如く本発明によれば、窓開口部の窓枠の一部を構成する下窓枠の屋外側に下方に垂下する前垂部が形成され、該前垂部に下枠が取付けられる窓枠構造に於いて、前記前垂部の上端に上溝を形成する上鉤部が設けられ、前記下枠が前記上溝に嵌合する基端部と該基端部に連続するエプロン部と、該エプロン部の下面から延出する筋交部とを有し、該筋交部の外面に嵌合部が形成されているので、筋交部の嵌合部を下窓枠側に嵌合することで固定保持することができ、更に基端部を固定手段で固定することで下枠を下窓枠により強固に固定でき、形状の異なる下窓枠にも取付けが可能であり下枠の共用化が図れる。
【００３５】
又、前記基端部の先端部は段付形状であり、該先端部が前記上溝に嵌合した状態で、前記上鉤部の前面と基端部の前面とが面一又は略面一となるので、外観に優れ前記基端部の先端部と上溝に埃、ゴミ等が溜るのを防止できる。
【００３６】
更に又、前記前垂部は下端に下鉤部が形成され、該下鉤部は前記嵌合部に嵌合することにより、下枠を取付け固定保持でき、施工性が向上する等の優れた効果を発揮する。
【図面の簡単な説明】
【図１】本発明の実施の形態を示す側断面図である。
【図２】同前実施の形態の要部断面図である。
【図３】（Ａ）（Ｂ）（Ｃ）は同前実施の形態の施工説明図である。
【図４】本発明の他の実施の形態を示す要部断面図である。
【図５】従来例の側断面図である。
【図６】該従来例の要部断面図である。
【符号の説明】
１          躯体壁
２          外装材
３          窓開口部
８          下窓枠
２３        前垂部
２３ａ      垂直面
３４        下枠
３４ａ      基端部
３４ｂ      エプロン部
３４ｃ      筋交部
３４ｄ      先端部
３４ｅ      溝
３４ｆ      リブ部
３５        上鉤部
３６        下鉤部
【図１】
0004763927.tif 000002
【図２】
0004763927.tif 000003
【図３】
0004763927.tif 000004
【図４】
0004763927.tif 000005
【図５】
0004763927.tif 000006
【図６】
0004763927.tif 000007